(57)【要約】【課題】表示する情報のスペックルコントラストの低減を実現する電子機器及び表示方法を提供する。【解決手段】実施形態の電子機器は、半導体レーザ光源と、半導体レーザ駆動装置と、コリメートレンズと、可動ミラー部と、スペックルコントラスト低減光学系と、を具備する。半導体レーザ光源は、画像情報に対応する光を出力する。半導体レーザ駆動装置は、前記レーザ光源を直接強度変調する。コリメートレンズは、前記レーザ光源から放射される光ビームを平行ビームに変換する。可動ミラー部は、前記平行ビームを所定の方向に投影する。スペックルコントラスト低減光学系は、前記レーザ光源からの前記平行ビームを分割し、それぞれに光路差を与えるとともに、それぞれの前記分割された平行ビームの前記可動ミラー部により投影される光強度分布に差異を発生させる。【選択図】図２
2014010306.tif 000002
【特許請求の範囲】
【請求項１】
画像情報に対応する光を出力する、少なくともひとつの半導体レーザ光源と、
前記レーザ光源を直接強度変調する半導体レーザ駆動装置と、
前記レーザ光源から放射される光ビームを平行ビームに変換するコリメートレンズと、
前記平行ビームを所定の方向に投影するための可動ミラー部と、
前記レーザ光源からの前記平行ビームを分割し、それぞれに光路差を与えるとともに、それぞれの前記分割された平行ビームの前記可動ミラー部により投影される光強度分布に差異を発生させるスペックルコントラスト低減光学系と、
を具備する電子機器。
【請求項２】
前記スペックルコントラスト低減光学系は、
前記平行ビームのエネルギーのいくらかを反射して分割するビームスプリッタと、
第１のミラーと、
第２のミラーと、
前記ビームスプリッタにより分割された一方の平行ビームにより、前記ビームスプリッタと前記第１のミラーと前記第２のミラーとによって形成される光ループであり、
前記ビームスプリッタで分割された二つの平行ビームのうち、前記光ループに進行した平行ビームは、もう一方の平行ビームと異なる投影位置に案内される請求項１記載の電子機器。
【請求項３】
前記ビームスプリッタと、前記第１のミラーと、前記第２のミラーのいずれかの反射面の法線が、他の２つの反射面により張られる平面に非平行である請求項２記載の電子機器。
【請求項４】
前記可動ミラー部は、第一の方向と前記第一の方向と概ね直交する第二の方向のそれぞれに、前記平行ビームを反射するミラーを含む請求項１〜３のいずれかに記載の電子機器。
【請求項５】
前記光ループの光学的距離は、前記半導体レーザの実効屈折率とレーザ共振器長の積の奇数倍である請求項１〜４のいずれかに記載の電子機器。
【請求項６】
画像情報に対応するレーザ光にスペックルコントラストを低減する光路長の差を与え、
スペックルコントラストが低減した光を、第一の方向と第一の方向と概ね直交する第二の方向のそれぞれに反射して投影像を表示する表示方法。
【請求項７】
光路長差は、レーザ光を放射するレーザの実効屈折率とレーザ共振器長の積の奇数倍である請求項６記載の表示方法。
【請求項８】
光路長差は、光ループにより与える請求項６または７記載の表示方法。
【請求項９】
光ループは、第１ミラー及び第２ミラーと、光の一部を光ループに入射し、光の一部を光ループから出射するビームスプリッタを含み、ビームスプリッタから光ループに入射する光を、第１及び第２ミラーにより、ビームスプリッタが反射する光と異なる位置に案内する請求項６〜８のいずれかに記載の表示方法。
【請求項１０】
画像情報に対応する光を出力する、少なくともひとつの半導体レーザ光源と、
前記レーザ光源を直接強度変調する半導体レーザ駆動装置と、
前記レーザ光源から放射される光ビームを平行ビームに変換するコリメートレンズと、
前記平行ビームを所定の方向に投影するための可動ミラー部と、
光ループを用いて前記レーザ光源からの前記平行ビームを分割し互いに光路差を与えるとともに、それぞれの前記分割された平行ビームの前記可動ミラー部により投影される光強度分布に差異を発生させるスペックルコントラスト低減光学系と、
を具備する電子機器。
【発明の詳細な説明】
【技術分野】
【０００１】
この発明は、情報を表示する電子機器及び表示方法に関する。
【背景技術】
【０００２】
情報を表示する電子機器として、表示部を有し、表示部に情報を表示するものと、表示部が表示する情報を投影するものと、が広く知られている。
【先行技術文献】
【特許文献】
【０００３】
【特許文献１】特開２００８−２８１６７２号公報
【発明の概要】
【発明が解決しようとする課題】
【０００４】
レーザ光を用いて情報を投影する電子機器においては、携帯を容易とするための小型化及び重量の軽量化と、表示する情報のスペックルコントラストの低減が要求される。
【０００５】
この発明の目的は、表示する情報のスペックルコントラストの低減を実現する電子機器及び表示方法を提供することである。
【課題を解決するための手段】
【０００６】
実施形態によれば、電子機器は、半導体レーザ光源と、半導体レーザ駆動装置と、コリメートレンズと、可動ミラー部と、スペックルコントラスト低減光学系と、を具備する。半導体レーザ光源は、画像情報に対応する光を出力する。半導体レーザ駆動装置は、前記レーザ光源を直接強度変調する。コリメートレンズは、前記レーザ光源から放射される光ビームを平行ビームに変換する。可動ミラー部は、前記平行ビームを所定の方向に投影する。スペックルコントラスト低減光学系は、前記レーザ光源からの前記平行ビームを分割し、それぞれに光路差を与えるとともに、それぞれの前記分割された平行ビームの前記可動ミラー部により投影される光強度分布に差異を発生させる。
【図面の簡単な説明】
【０００７】
【図１】実施形態を適用する表示装置（電子機器）の主要部の一例を示す。
【図２】実施形態を適用する表示装置の情報生成部（投影部）の一例を示す。
【図３】実施形態を適用する表示装置の投影光のコヒーレンス関数の一例を示す。
【図４】実施形態を適用する表示装置の情報生成部（投影部）の一例を示す。
【図５】実施形態を適用する表示装置の投影光の光強度分布の一例を示す。
【発明を実施するための形態】
【０００８】
以下、図面を参照して、本発明の実施の一形態について説明する。
【０００９】
図１は、実施形態を適用する電子機器（投影機能付携帯端末装置、以下、携帯端末装置と略称する）の情報投影部の一例を示す。なお、実施形態においては、携帯端末装置を例に説明するが、これに限定されることはない。すなわち、情報投影部が独立して用意される携帯型投影装置であってもよいし、携帯電話装置やタブレットＰＣ（パーソナルコンピュータ）であってもよい。なお、情報は、コンテンツ（ストリーム）とも称され、映像及び音声もしくは音楽等を含む。また、映像は、動画と静止画、あるいはテキストを主体とした文字表示等を含む。
【００１０】
携帯端末装置１は、情報生成部１１、情報撮影部２１、操作入力／情報表示部３１、記憶／制御部４１、電源部５１、無線通信部１０１等を含む。
【００１１】
情報生成部１１は、映像（動画や静止画）や画像（グラフィック）あるいは文字情報等を再生し、例えばスクリーンに向けて出射（投影）するもので、光源部１３、情報投影部１５及びスペックルコントラスト低減部１７、等を含む。情報生成部１１は、制御部（ＣＰＵ）１９−１、レーザ駆動部１９−２及びミラー駆動部１９−３を、一体に、または光源部１３、情報投影部１５及びスペックルコントラスト低減部１７と分離可能に、有する。なお、制御部（ＣＰＵ）１９−１は、後段に説明する操作入力／情報表示部３１の表示部（タッチパネル／ディスプレイ）による操作入力に従い、情報生成部１１が表示する画像情報に対応するレーザ駆動部１９−２が個々のレーザ素子に供給する画像信号のタイミングやミラー駆動部１９−３の第一の方向及び第二の方向の旋回のタイミングを制御する。
【００１２】
情報撮影部２１は、撮像レンズ２２、画像センサ２３、撮像メモリ２４、カメラ画像処理部２５及び画像認識部２６等を有する。情報撮影部２１は、撮像レンズ２２が取り込んだ情報（光の明暗及び色）を画像センサ２３で光電変換し、光電変換して得た情報（以下、読取データと称する）を撮像メモリ２４で一時保存する。撮像メモリ２４が保持する読取データは、カメラ画像処理部２５において、映像（動画）や静止画、グラフィック、文字情報あるいは二次元コード等のいずれかとして処理される。なお、撮像モードとして、動画や静止画、グラフィック等のいずれかが指定されている場合、読取データは、指定されているデータ形式に変換され、記憶／制御部４１の記憶装置に記憶される。また、読取データが、例えば二次元コード等である場合、カメラ画像処理部２５により黒画像と白画像に処理され、黒画像及び白画像で表される（読取データの）情報を、画像認識部２６が認識する。また、予め用意されるアプリケーション／プログラムの利用により文字認識が可能である場合、画像認識部２６において、静止画あるいはグラフィック等として取得した読取データから文字情報を抽出してテキストデータとすることも可能である。
【００１３】
操作入力／情報表示部３１は、主表示装置（ディスプレイ）３２と入力検出機構（タッチパネル）３３とを含む。ディスプレイ３２は、ユーザ入力（操作／指示）の受け付け及びユーザ入力を促すためのＧＵＩ（Graphical User Interface）を表示する。ディスプレイ３２はまた、タッチパネル３３の非操作時あるいは操作に関連して、映像（動画や静止画）や画像（グラフィック）あるいは文字情報を表示する。なお、ＧＵＩ表示のための画像情報は、以下に説明する記憶／制御部４１が保持する。
【００１４】
記憶／制御部４１は、記憶装置４２と制御装置（ＭＰＵ（Main Processing Unit））４３とを含む。なお、ＭＰＵ４３には、画像処理部（ビデオＲＡＭ）４４、Ｉ／Ｏポート４５、インタフェース４６が、接続する。
【００１５】
Ｉ／Ｏポート４５は、例えば接続相手先機器のコネクタ（インタフェース）と接続可能なコネクタ４７と接続し、たとえばサービスシステム（管理者側ホスト装置）との間の信号の受け渡しが可能である。なお、コネクタ４７（Ｉ／Ｏポート４５）は、ユーザが所有するパーソナルコンピュータや任意の装置に設けられているモデム等との接続も可能であり、所定のプロトコルに従う信号の受け渡しを実現する。
【００１６】
記憶装置４２は、映像（動画や静止画）や画像（グラフィック）、文字情報等のデータ群及び動作プログラム等を記憶する。記憶装置４２が記憶する動画や静止画、グラフィック等については、情報撮影部２１が取得し、カメラ画像処理部２５が所定の形式に変換した（読取データの）情報を含む。記憶装置４２はまた、ＭＰＵ（制御装置）４３と接続するインタフェース４６を通じ、取り出し可能な半導体メモリ（ＳＤカード）等へのアクセスすなわち半導体メモリへのデータの記録と半導体メモリからのデータの読み出しが可能である。なお、半導体メモリへのデータの記録と半導体メモリからのデータの読み出しについては、インタフェース４６と接続するリーダ／ライタ（カードスロット）４８を利用する。
【００１７】
なお、ＭＰＵ４３は、記憶装置４２が記憶する動作プログラムに従い、上述の各部の動作を制御する。なお、動作プログラム等は、後段で説明する無線通信部１０１による通信等により、所定のタイミングでバージョンアップ（更新）可能である。
【００１８】
ＭＰＵ４３はまた、ＷｉＦｉアライアンスにおける認定を得た機器相互における無線接続を可能とするＷｉＦｉ通信制御部（第二の通信制御部）１６１およびＷｉＦｉアンテナ１６２が接続する。
【００１９】
電源部５１は、上述の各部に電源を供給する。なお、電源部５１は、各部の動作に用いる動作電源電圧Ｖｃｃを生成する電源回路５２、及び充電池（バッテリ）５３を含む。電源部５１はまた、ターミナル５４を有し、ターミナル５４を経由して、図示しない商用電源または外部バッテリ装置と接続し、バッテリ５３を充電する。なお、動作時あるいは必要に応じて、バッテリ５３が保持する電力容量の範囲内で、電源回路５２が上述のＶｃｃを、各部に供給する。
【００２０】
無線通信部１０１は、公衆通信網（空間波方式）との間で情報の受け渡し、あるいは音声通信が可能な送信部（ＴＸ）１２１及び受信部（ＲＸ）１３１を含む第一の通信制御部１４１、とを含む。なお、上述した通り、ＭＰＵ４３と接続し、例えば家庭内または事業所内等の一定の条件の下でアクセスが許可された所定の装置との間の通信（情報の受け渡し）が可能な第二の通信制御部（近距離（ＷｉＦｉ）通信制御部）１６１との間の通信も可能である。
【００２１】
無線通信部１０１は、受信時には、アンテナ１０２が受信する接続中の基地局からの無線信号が、ＤＵＰ（アンテナ共用器）１０３を介して受信部（ＲＸ）１３１に入力する。受信部１３１は、受信した無線信号と周波数シンセサイザ（ＳＹＮ）１０４が出力する局部発振信号とのミキシングにより、無線信号（受信周波数）を中間周波信号に周波数変換（ダウンコンバート）する。なお、受信部１３１からは、中間周波信号を直交復調した受信ベースバンド信号が出力される。また、周波数シンセサイザ１０４が発生する局部発振信号の周波数は、記憶／制御部４１のＭＰＵ４３からの制御信号ＳＹＣによって指示される。
【００２２】
受信ベースバンド信号は、通信処理部１０５に入力される。通信処理部１０５は、例えばGlobal System for Mobile Communications（ＧＳＭ（登録商標））や、ＣＤＭＡ（Code Division Multiple Access）として広く知られている通信方式に従い、受信ベースバンド信号を処理し、所定のフォーマットの受信パケットデータを得る。
【００２３】
受信パケットデータは、図示しない多重分離部を含む圧縮伸長処理部（以後コンパンダと称する）１０６に入力され、多重分離部によりメディア（情報の種類）ごとに分離される。コンパンダ１０６によりメディアごとに分離されたメディアデータは、それぞれのメディアに対応する復号器（ＣＯＤＥＣ）により復号される。例えば、受信パケットデータが含むオーディオデータは、スピーチ（オーディオ／音声）コーデック１０７が復号する。同じく、ビデオデータは、ビデオコーデック１０８が復号する。なお、メール等のテキストデータについては、ＭＰＵ４３の制御に従い、記憶装置４２に転送され、データ形式を変更することなく記憶装置４２が記憶する。
【００２４】
スピーチコーデック１０７の出力であるオーディオ信号は、図示しないＰＣＭコーデックによりＰＣＭ復号され、アナログオーディオ信号として、受話増幅器１０９に出力される。受話増幅器１０９は、所定レベルまでアナログオーディオ信号を増幅し、スピーカ１１０に出力する。従って、スピーカ１１０が、音声あるいは再生された音楽を出力する。
【００２５】
ビデオコーデック１０８の出力であるビデオ（映像）信号は、画像処理装置４４が、ディスプレイ３２あるいは画像表示素子１６よる表示に適した信号形式に変換する。変換されたビデオ（映像）信号は、ＭＰＵ４３の制御に従い、所定のタイミングでディスプレイ３２もしくは画像表示素子１６に入力し、ディスプレイ３２（もしくは画像表示素子１６）による映像（動画や静止画）や画像（グラフィック）として表示される。
【００２６】
メール等のテキストデータは、タッチパネル３３（操作入力／情報表示部３１）によるユーザ指示に従い、記憶装置４２から呼び出され、図示しないコード変換部により文字情報や記号等に対応した符号列に変換される。変換されたテキストデータは、ディスプレイ３２（画像表示素子１６）による表示を可能に、画像形成装置４４が、表示に適した信号形式に変換する。これにより、ディスプレイ３２（画像表示素子１６）が、文字あるいは記号を表示する。なお、テキストデータが映像（動画や静止画）や画像（グラフィック）と重ね合わせられる場合、画像処理装置４４または画像形成装置４４と独立に設けられるＯＳＤ（On Screen Display、オンスクリーンディスプレイ）処理部において、例えば映像信号の一部を透過可能に、テキストデータを重ね合わせた状態でディスプレイ３２（画像表示素子１６）に供給することが好ましい。
【００２７】
無線通信部１０１は、送信時においては、マイクロホン１１２が取得するユーザの音声を、送話増幅器１１１が適正レベルに増幅する。送話増幅器１１１の出力は、図示しないＰＣＭコーデックがＰＣＭ符号化し、ＰＣＭ（デジタル）オーディオ信号として、スピーチコーデック１０７に入力する。スピーチＣＯＤＥＣ１０７の出力は、コンパンダ１０６が圧縮する。
【００２８】
一方、情報撮影部２１の撮像レンズ２２が撮像し、画像センサ２３が光電変換するビデオ（映像）信号は、撮像メモリ２４が一時的に保持し、カメラ画像処理部２５がデジタル画像に変換する。カメラ画像処理部２５の出力画像は、ＭＰＵ４３において作成されたメール等のテキストデータとともに、コンパンダ１０６が圧縮する。
【００２９】
コンパンダ１０６が圧縮した音声データおよび画像データは、コンパンダ１０６の多重分離部が、伝送（送信）フォーマットに従いパケット化する。ＭＰＵ４３が処理するメール等のテキストデータも、同様にパケット化され、送信パケットデータに多重化される。パケット化された送信パケットデータは、通信処理部１０５へ出力される。
【００３０】
通信処理部１０５は、コンパンダ１０６が出力する送信パケットデータを、送信回路（ＴＸ）１２１による送信に適したフォーマットに変換する。
【００３１】
送信回路１２１は、通信処理部１０５がフォーマット変換した送信パケットデータを変調し、周波数シンセサイザ（ＳＹＮ）１０４から発生される局部発振信号と合成して、空間波、すなわち無線信号を生成する。
【００３２】
送信回路１２１は、生成した無線信号を、送信に先だってＭＰＵ４３により指示される送信電力レベルとなるよう、高周波増幅し、アンテナ共用器１０３に出力する。アンテナ共用器１０３は、アンテナ１０２と接続し、アンテナ１０２が、上述の無線信号を送信する。
【００３３】
図２に、情報生成部１１を詳細に説明する。
【００３４】
光源部１３は、第一の色の光、第一の色と異なる第二の色の光および第一、第二の色のそれぞれと異なる第三の色の光を出力するレーザ素子、及び個々のレーザ素子が出力する光を同一の光路に案内する合波要素を含む。
【００３５】
合波要素は、例えばダイクロイック・プリズムであり、第一の色の光と第二の色の光とを合波する第一のプリズム１３−１、第一の色の光と第二の色の光とを合波した光と第三の色の光とを合波する第二のプリズム１３−２、を含む。なお、個々のレーザ素子とダイクロイック・プリズムの光入射面との間には、個々のレーザ素子からの光をコリメートするコリメートレンズ１３−３が位置する。
【００３６】
第一、第二、第三の色の光は、例えばＲ（赤）、Ｇ（緑）、Ｂ（青）であり、赤色の光を出力するレーザ素子１３Ｒ、緑色の光を出力するレーザ素子１３Ｇ及び青色の光を出力するレーザ素子１３Ｂのそれぞれが、レーザ駆動部１９−２から供給される画像信号に従う所定のタイミングで、個々の色の光を出力する。個々の色の光は、視認者の視覚により映像として認識される。映像すなわち個々の色の光は、情報投影部１５がスクリーンに投影する。
【００３７】
情報投影部１５は、光源部１３からの光を円偏光に変換するＱＷＰ（Quarter Wave Plate）すなわちλ／４板（偏光方向設定部材））１５−１、λ／４板１５−１を通過した光源部１３からの個々の色の光を、第一の軸を回転中心とする旋回と所定角度範囲での往復動（折り返し動作）である第一の方向に連続して反射するとともに、第一の軸と概ね直交する第二の軸を回転中心とする旋回と所定角度範囲での往復動（折り返し動作）である第二の方向に連続してする投影器１５−２、光源部１３からの光と投影器１５−２による反射光とを分離するＰＢＳ（偏光ビームスプリッタ）１５−３、とを含む。なお、投射器１５−２は、ミラー駆動部１９−３による制御に従い、第一の方向及び第二の方向のそれぞれの方向に、所定の速度で旋回する。これにより、スクリーンあるいは表示面に、画像が投射される。
【００３８】
スペックルコントラスト低減部１７は、光源部１３の個々のレーザ素子１３Ｒ、１３Ｂ、１３Ｇのそれぞれからの光の干渉による表示面内のスペックルコントラストを低減する光ループ１７−１、光源部１３（レーザ素子１３Ｒ、１３Ｂ、１３Ｇ）からの光の一部を光ループ１７−１に案内するとともに、光源部１３からの光の一部を情報投影部１５に案内するビームスプリッタ（非／無偏光ビームスプリッタ＜透過率固定型ミラー＞）１７−２、を含む。
【００３９】
光ループ１７−１は、ビームスプリッタ１７−２を通過した光にビームスプリッタ１７−２で反射した光に対して所定の時間差（光路長）を与える第１のミラー（ミラー１）１７ａおよび第２のミラー（ミラー２）１７ｂを含む。
【００４０】
第１のミラー１７ａ、第２のミラー１７ｂおよびビームスプリッタ１７−２の反射面（ビームスプリット面）について、例えばビームスプリッタ１７−２の反射面の法線と第１のミラー１７ａの法線とによって張られる平面が図１または図２において紙面と平行であるように設計し、第２のミラー１７ｂの法線が、この平面とわずかに平行にならないように（平面に対して非平行に）設計する。これにより、光ループ１７−１を通り、次々と矢印Ａ方向に向かうレーザ光は、それぞれ異なる角度に進行する平行光となる。
【００４１】
すなわち、図１及び図２に示す情報生成部１１において、赤色、緑色、青色のそれぞれの半導体レーザ１３Ｒ、１３Ｇ、１３Ｂが放射するレーザ光は、それぞれのレーザに対応して位置するコリメートレンズ１３−３で平行光に変換され、ダイクロイック・プリズム等の光学系（合波要素）１３−１、１３−２を通過して合波される。
【００４２】
合波されたレーザ光は、スペックルコントラスト低減部１７のビームスプリッタ１７−２に入射する。
【００４３】
ビームスプリッタ１７−２に入射するレーザ光のエネルギーの一部はビームスプリッタ１７−２に反射されて図１及び図２の矢印Ａの方向へと向かい、その他は透過して第１のミラー１７ａに向かい、第１のミラー１７ａ、第２のミラー１７ｂで反射されたレーザ光のエネルギーの一部は今度はビームスプリッタ１７−２を透過して矢印Ａの方向へと向かい、その他は反射して再び第１のミラー１７ａに向かう。
【００４４】
このようにして、光源部１３の個々のレーザ素子からの個々の色の光は、光ループ１７−１内を循環する光路を形成する。また、光ループは、上述の通り第１のミラー１７ａまたは第２のミラー１７ｂの少なくとも一方において、残りの要素が定義する面と反射面の法線とが、非平行となるよう設計したことにより、光ループ１７−１を通り、次々と矢印Ａ方向に向かうレーザ光は、それぞれ異なる角度に進行する平行光となる。
【００４５】
ここで、光ループの光路長は、半導体レーザの実行屈折率をＮｅ、共振器長をＬとしたとき『２Ｎｅ × Ｌ』の整数倍にならないように設計されている（光ループ１７−１内において、光ループの光路長を、『２Ｎｅ × Ｌ』またはその整数倍と一致しないよう、設定している）。なお、光ループの光路長は、『Ｎｅ × Ｌ』の奇数倍であることが好ましい。
【００４６】
なおかつ、半導体レーザ（レーザ素子１３Ｒ、１３Ｇ及び１３Ｂ）は、高速（数百ＭＨｚ＜メガヘルツ＞）に直接変調されているので、そのコヒーレンス関数は図３に示すようなものとなっている。すなわち、次々と発生し、図１及び図２の矢印Ａの方向へ向かうレーザ光同士の可干渉性（ビジビリティ＜コヒーレンシー＞）は低い。
【００４７】
これらの複数の可干渉性の低いレーザ光は、情報投影部１５の偏光ビームスプリッタ（ＰＢＳ）１５−３に入射して投影器（ＭＥＭＳ（Micro-Electro-Mechanical-Systems）を用いて形成されるＭＥＭＳミラー）１５−２に向けて反射される。
【００４８】
ここで半導体レーザから放射されるこのレーザ光は直線偏光を仮定しているので、λ／４波長板（ＱＷＰ）１５−１に入射すると円偏光に変換される。
【００４９】
つづいて、ＭＥＭＳミラー（投影器）１５−２で反射され、再びλ／４波長板１５−１に入射して、先ほどとは９０°異なる直線偏光に変換されて、偏光ビームスプリッタ１５−３へ向かう。
【００５０】
偏光ビームスプリッタ１５−３を透過したレーザ光は、スクリーン（または表示面）に照射される。
【００５１】
光ループによって発生した複数のレーザ光は、わずかに進行方向が異なるので、スクリーン（表示面）上のわずかに異なる位置に照射される。
【００５２】
異なる角度の複数のビームを発生させることにより、異なる位置を複数ビームで走査できる。
【００５３】
これにより網膜上に形成されるそれぞれのレーザビームに対応するスペックルパターン同士の相関が小さくなる。
【００５４】
すなわち、スペックルパターンは平均化されて、スペックルコントラストの低減効果がある。
【００５５】
ＭＥＭＳミラー１５−２は、高速（第一の方向）、低速（第一の方向と直交する第二の方向）の二つの回転軸周りに回転（あるいは回転軸を回転中心とする往復の旋回を）することができ、レーザ光はスクリーン上を、第一の方向及び第二の方向を、スキャンする。
【００５６】
このスキャンのタイミングに合わせて、赤色、緑色、青色の各レーザ光をそれぞれ適当に変調することによって、所望の映像・画像をスクリーン（表示面）上に投影できる。
【００５７】
なお、第一の方向のスキャンは、高速の回転（所定角度範囲の往復旋回（例えば、trajectory））であり、例えば表示映像の左右方向のスキャンである。また、第二の方向は、低速の回転（所定角度範囲の往復旋回）であり、例えば表示映像の上下方向のスキャンである。この第一の方向及び第二の方向のスキャンにより、映像表示の手法として広く知られているラスタ（raster）走査（水平扇形区域走査と高さ方向の変位）が実現でき、上述の変調された赤色（Ｒ）、緑色（Ｇ）、青色（Ｂ）の光がスクリーン、あるいは表示面に、映像が表示（投影）される。
【００５８】
また、光ループ１７−１においては、ビームスプリッタ１７−２と第１のミラー１７ａ及び第２のミラー１７ｂに加え、第３のミラーを用いる矩形の経路であってもよい。
【００５９】
図４は、実施形態を適用する電子機器（投影機能付携帯端末装置、以下、携帯端末装置と略称する）の情報投影部の別の一例を示す。なお、図１及び図２に示した携帯端末装置と同様の構成は、同じ符号を付して詳細な説明を省略する。
【００６０】
情報生成部１１は、光源部１３、情報投影部１１５及びスペックルコントラスト低減部１１７、等を含む。
【００６１】
光源部１３の第一、第二及び第三のレーザ素子１３Ｒ、１３Ｇ及び１３Ｂが放射するＲ（赤）、Ｇ（緑）、Ｂ（青）は、レーザ駆動部から供給される画像信号に従う所定のタイミングで、個々の色の光を出力する。
【００６２】
個々の色の光は、ダイクロイック・プリズムであり、第一の色の光と第二の色の光とを合波する第一のダイクロイック・プリズム１３−１、第一の色の光と第二の色の光とを合波した光と第三の色の光とを合波する第二のダイクロイック・プリズム１３−２により、単一光路上に合波され、ＱＷＰ（λ／４板）１１７−１により、円偏光に変換される。
【００６３】
円偏光に変換されたレーザ光は、偏光ビームスプリッタ（ＰＢＳ）１１７−２で、それぞれ直交する二つの直線偏光成分に分解されて、異なる光路長の経路［Ａ］と［Ｂ］に分岐される。
【００６４】
それぞれの光の光路長の差は、図３により既に説明したと同様に、半導体レーザの実行屈折率をＮｅ、共振器長をＬとしたとき『２Ｎｅ × Ｌ』の整数倍にならないように設計されおり、経路［Ａ］を通った光と経路［Ｂ］すなわちミラー１１７−３，１１７−７で反射されて再び偏光ビームスプリッタ１１７−６で合波される２つのレーザ光の可干渉性（コヒーレンス／コヒーレンシー）は低い。なお、経路［Ａ］及び経路［Ｂ］のそれぞれは、図５に一例を示す位相変調素子１１７−４，１１７−５を透過する。
【００６５】
位相変調素子１１７−４，１１７−５に入射する前のレーザ光は、中心にひとつのピークを持つ、最低次のガウシアンビームに近い光強度分布をしている。位相変調素子１１７−４，１１７−５は、一つの分割線により二つの領域に分かれており、一方の領域を透過したレーザ光の波面と、もう一方の領域を透過したレーザ光の波面との間に、半波長（λ／２）分の位相ずれが生じるように設計されている。このような位相変調素子を１１７−４，１１７−５を透過したレーザ光は、分割線を跨いだ２つのピークを持つ光強度分布をもつレーザ光に変換される。
【００６６】
経路［Ａ］と経路［Ｂ］とにおいては、位相変調素子１１７−４，１１７−５の分割線の方向を９０°回転（直交）するよう位置され、位相変調素子１１７−４，１１７−５を透過した後の光強度分布も９０°回転する。このようにして、９０°回転した異なる光強度分布に変換された２つの経路［Ａ］と［Ｂ］のレーザ光は、偏光ビームスプリッタ（ＰＢＳ）１１７−６で合波されて、情報投影部１１５のＭＥＭＳミラー（投射器）１５−２に入射する。
【００６７】
ＭＥＭＳミラー１５−２は、図２及び図４に示す通り、高速、低速の二つの回転軸周りに回転することができ、反射レーザ光は、スクリーン（または表示面）上に、高速（第一の方向）及び低速（第二の方向）のそれぞれにより規定されるスキャン位置をスキャンする。
【００６８】
このスキャンのタイミングに合わせて、個々のレーザ素子１３Ｒ、１３Ｇ及び１３Ｂからの赤色（Ｒ）、緑色（Ｇ）、青色（Ｂ）の各レーザ光をそれぞれ適当に変調することによって、所望の映像・画像を、スクリーン上に投影できる。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…携帯端末装置（電子機器）、１１…情報生成部、１３…光源部、１３Ｒ，１３Ｇ，１３Ｂ…レーザ素子、１５…情報投影部、１５−１…ＱＷＰ（λ／４板、偏光方向設定部材）、１５−２…ＭＥＭＳミラー（投影器）、１５−３…偏光ビームスプリッタ（画像分離器）、１７…スペックルコントラスト低減部、１７−１…光ループ、１７−２…ビームスプリッタ（透過率固定型ミラー）、１７ａ…第１のミラー、１７ｂ…第２のミラー、１９−２…レーザ駆動部、１９−３…ミラー駆動部。
【図１】
2014010306.tif 000003
【図２】
2014010306.tif 000004
【図３】
2014010306.tif 000005
【図４】
2014010306.tif 000006
【図５】
2014010306.tif 000007